(57)【要約】【課題】視聴者が３次元映像を最初から立体視により視聴することができるようにする。【解決手段】再生装置１は、映像記録媒体２に記憶されている２次元映像４２および３次元映像４３を再生する。映像記録媒体内容確認部５２は、映像記録媒体２に記録されているプレイリスト４１に従い、２次元映像４２から３次元映像４３への再生される映像の切り替わりを検出する。そして、２次元映像４２から３次元映像４３への再生される映像の切り替わりが検出された場合、３次元映像４３を再生する前に、視聴者が立体視を確認するための３次元テスト映像４４を再生するように制御する。本発明は、例えば、２次元映像と３次元映像が混在する映像記録媒体を再生する再生装置に適用できる。【選択図】図２
2011199388.tif 000002
【特許請求の範囲】
【請求項１】
所定の映像記録媒体に記録されている２次元映像および３次元映像を再生する再生手段と、
前記再生手段で再生される映像が、前記２次元映像から前記３次元映像へ切り替わる場合、前記３次元映像を再生する前に、視聴者が立体視を確認するための３次元テスト映像を再生するように制御する再生制御手段と
を備える再生装置。
【請求項２】
前記３次元テスト映像を記憶する３次元テスト映像記憶手段をさらに備え、
前記再生制御手段は、前記３次元テスト映像記憶手段に記憶されている前記３次元テスト映像を再生するように制御する
請求項１に記載の再生装置。
【請求項３】
前記再生制御手段は、前記映像記録媒体に前記３次元テスト映像が記録されているか確認し、前記映像記録媒体に前記３次元テスト映像が記録されている場合、前記映像記録媒体の前記３次元テスト映像を再生するように制御するように制御する
請求項１に記載の再生装置。
【請求項４】
前記立体視の確認が完了したことを表す操作を取得する操作取得手段をさらに備え、
前記再生制御手段は、前記操作を取得した場合に、前記３次元映像を再生するように制御する
請求項１に記載の再生装置。
【請求項５】
所定の映像記録媒体に記録されている２次元映像および３次元映像を再生する再生手段と、前記再生手段の再生を制御する再生制御手段とを備える再生装置が、
前記再生手段で再生される映像が、前記２次元映像から前記３次元映像へ切り替わる場合、前記３次元映像を再生する前に、視聴者が立体視を確認するための３次元テスト映像を再生するように制御する
再生制御方法。
【請求項６】
２次元映像および３次元映像の再生を制御するコンピュータに、
再生される映像が、前記２次元映像から前記３次元映像へ切り替わる場合、前記３次元映像を再生する前に、視聴者が立体視を確認するための３次元テスト映像を再生するように制御する
処理を実行させるためのプログラム。
【発明の詳細な説明】
【技術分野】
【０００１】
本発明は、再生装置、再生制御方法、およびプログラムに関し、特に、視聴者が３次元映像を最初から立体視により視聴することができるようにする再生装置、再生制御方法、およびプログラムに関する。
【背景技術】
【０００２】
近年、LCD(Liquid Crystal Display)やPDP(Plasma Display Panel)ディスプレイなどのフラットパネルディスプレイと呼ばれるテレビジョン受像機の普及が急速に進んでいる。また、2003年12月より地上ディジタル放送が開始され、高画質なハイビジョン放送による映像を家庭でも視聴可能になってきている。さらに、最近では、ハイビジョン対応の記録再生装置も急速に普及してきており、ハイビジョン放送のみならず、ハイビジョン画質のパッケージメディアの視聴が可能な環境も整ってきている。このような状況の中、３次元映像コンテンツの視聴が可能なフラットパネルディスプレイも順次発表されている。 
【０００３】
３次元映像を視聴する方式としては、偏光フィルタメガネやシャッタメガネを用いるメガネ方式と、レンティキュラー方式やパララックスバリア方式等のメガネを用いない裸眼方式の大きく２種類の方式が挙げられる（例えば、特許文献１参照）。このうち、２次元映像表示との互換性という観点からすると、一般家庭においては、メガネ方式による視聴方式が、近い将来普及するものと予想される。
【先行技術文献】
【特許文献】
【０００４】
【特許文献１】特開２００６−１２６５０１号公報
【発明の概要】
【発明が解決しようとする課題】
【０００５】
一般家庭においては、通常、視聴者は２次元映像を視聴していることが多いと考えられるので、メガネ方式により３次元映像を視聴する場合には、視聴する前に立体視用のメガネを装着するなどの準備が必要になる。このような３次元映像の視聴準備が出来る前に３次元映像をディスプレイに表示してしまうと、視聴者が３次元映像コンテンツを最初から視聴できないという事態が考えられる。
【０００６】
本発明は、このような状況に鑑みてなされたものであり、視聴者が３次元映像を最初から立体視により視聴することができるようにするものである。
【課題を解決するための手段】
【０００７】
本発明の一側面の再生装置は、所定の映像記録媒体に記録されている２次元映像および３次元映像を再生する再生手段と、前記再生手段で再生される映像が、前記２次元映像から前記３次元映像へ切り替わる場合、前記３次元映像を再生する前に、視聴者が立体視を確認するための３次元テスト映像を再生するように制御する再生制御手段とを備える。
【０００８】
本発明の一側面の再生制御方法は、所定の映像記録媒体に記録されている２次元映像および３次元映像を再生する再生手段と、前記再生手段の再生を制御する再生制御手段とを備える再生装置が、前記再生手段で再生される映像が、前記２次元映像から前記３次元映像へ切り替わる場合、前記３次元映像を再生する前に、視聴者が立体視を確認するための３次元テスト映像を再生するように制御する。
【０００９】
本発明の一側面のプログラムは、コンピュータに、２次元映像および３次元映像の再生を制御するコンピュータに、再生される映像が、前記２次元映像から前記３次元映像へ切り替わる場合、前記３次元映像を再生する前に、視聴者が立体視を確認するための３次元テスト映像を再生するように制御する処理を実行させるためのものである。
【００１０】
本発明の一側面においては、再生される映像が、２次元映像から３次元映像へ切り替わる場合、３次元映像を再生する前に、視聴者が立体視を確認するための３次元テスト映像が再生されるように制御される。
【００１１】
なお、プログラムは、伝送媒体を介して伝送することにより、又は、記録媒体に記録して、提供することができる。
【００１２】
再生装置は、独立した装置であっても良いし、１つの装置を構成している内部ブロックであっても良い。
【発明の効果】
【００１３】
本発明の一側面によれば、視聴者が３次元映像を最初から立体視により視聴することができる。
【図面の簡単な説明】
【００１４】
【図１】本発明を適用した再生装置の一実施の形態の構成例を示すブロック図である。
【図２】再生装置の機能的構成例を示すブロック図である。
【図３】再生装置の状態遷移図である。
【図４】３次元テスト映像の例を示す図である。
【図５】再生装置による再生処理のフローチャートである。
【発明を実施するための形態】
【００１５】
［本発明を適用した再生装置の構成例］
図１は、本発明を適用した再生装置の一実施の形態の構成例を示している。
【００１６】
再生装置１は、映像記録媒体２に記録された２次元映像コンテンツおよび３次元映像コンテンツを再生し、外部の表示装置３に２次元映像コンテンツおよび３次元映像コンテンツの映像を表示させる装置である。なお、映像記録媒体２に記録されたコンテンツを再生するとは、正確には、そのコンテンツのデータ（コンテンツデータ）を再生することであるが、本明細書では、適宜、コンテンツを再生すると表現する。
【００１７】
本実施の形態において、再生装置１が再生するデータが記録されている映像記録媒体２は、例えば、DVD(Digital Versatile Disc)やBlu-ray（登録商標） Disc等で構成される光ディスクであるとして説明する。しかし、映像記録媒体２は、フラッシュメモリなどの半導体メモリ、ハードディスク等であってもよい。
【００１８】
なお、映像記録媒体２には、２次元映像コンテンツおよび３次元映像コンテンツのデータとして、映像データと音声データが記録されているが、以下では、音声データについての説明は適宜省略する。
【００１９】
ディスクドライブ１１は、映像記録媒体２に記録されたコンテンツデータとしてのMPEG-TS（Moving Picture Experts Group-Transport Stream）を読み出し、デコーダ１２に供給する。また、ディスクドライブ１１は、コンテンツの収録内容、再生順番などを収録したプレイリストを映像記録媒体２から読み出した場合には、その内容をコントローラ１３に供給する。
【００２０】
デコーダ１２は、ディスクドライブ１１から供給されたMPEG-TSをデコードし、その結果得られる２次元映像コンテンツおよび３次元映像コンテンツの映像データを出力部１５に供給する。
【００２１】
３次元映像コンテンツの映像データは、左眼用映像（以下、L映像と称する。）と右眼用映像（以下、R映像と称する。）のデータからなり、表示装置３には、L映像とR映像が交互に表示される。視聴者（ユーザ）は、立体視用のメガネを装着して、３次元映像コンテンツの映像を視聴する。立体視用のメガネは、例えば、左右交互に開閉するシャッタ機能を有するものであり、表示装置３に表示されるL映像とR映像に同期して、左眼と右眼のシャッタが交互に開閉する。L映像とR映像には視差が設けられてあり、右眼と左眼それぞれで独立に対応するL映像とR映像を視認することで、視聴者は、表示装置３に表示される映像を立体的に知覚することができる。
【００２２】
３次元映像コンテンツの映像データは、データ容量を少なくして保存することができるようにするため、例えば、H.264 AVC(Advanced Video Coding)/MVC(Multi-view Video coding)による符号化が行われ、圧縮されて、記録されている。
【００２３】
H.264 AVC/MVCでは、Base view videoと呼ばれる映像ストリームと、Dependent view videoと呼ばれる映像ストリームとが定義されている。以下、適宜、H.264 AVC/MVCを単にMVCという。
【００２４】
MVCは、時間方向の画像間の予測だけでなく、ストリーム（view）間の予測も用いた符号化を行う。
【００２５】
即ち、MVCにおいては、Base view videoには、他のストリームを参照映像とする予測符号化が許されていないが、Dependent view videoには、Base view videoを参照映像とする予測符号化が許されている。従って、例えば、３次元映像コンテンツの映像データとしては、L映像をBase view videoとし、R映像をDependent view videoとする符号化が行われている。この場合、R映像についてはL映像を基に予測符号化を行うので、Dependent view videoストリームのデータ量を、Base view videoストリームのデータ量に比較して少なくすることができる。
【００２６】
なお、H.264/AVCでの符号化であるから、Base view videoについて時間方向の予測は行われている。また、Dependent view videoについても、view間の予測とともに、時間方向の予測が行われている。Dependent view videoをデコードするには、エンコード時に参照先とした、対応するBase view videoのデコードが先に終了している必要がある。
【００２７】
３次元映像コンテンツの映像データは、L映像とR映像のデータがそれぞれ異なるMPEG-TSとして映像記録媒体２に記録されてもよいし、１つのMPEG-TSとして記録されてもよい。また、L映像とR映像のデータは、L映像またはR映像のいずれか一方のデータと、奥行き情報（Depth情報）という形で映像記録媒体２に記録されてもよい。この場合、奥行き情報に基づいて、L映像またはR映像の記録されていない他方のデータが、コントローラ１３等で生成される。
【００２８】
コントローラ１３は、メモリ１６またはローカルストレージ１７に記録された制御プログラムにより、操作入力部１４からの動作命令に従って、再生装置１の再生動作を制御する。
【００２９】
例えば、コントローラ１３は、映像記録媒体２が装着されているディスクドライブ１１にデータの読み出しを指示し、デコーダ１２、コントローラ１３等に供給させる。
【００３０】
操作入力部１４は、ボタン、キー、タッチパネル、ジョグダイヤル、マウスなどの入力デバイスや、図示せぬリモートコマンダから送信される赤外線などの信号を受信する受信部により構成される。操作入力部１４は視聴者の操作を検出し、検出した操作の内容を表す操作信号をコントローラ１３に供給する。
【００３１】
出力部１５は、D/Aコンバータを内蔵し、デコーダ１２等から供給されるコンテンツデータを、アナログまたはディジタルのAV信号として表示装置３に出力する。出力部１５は、出力端子として、たとえば、AV信号をHDMI（High-Definition Multimedia Interface）信号により出力するHDMI出力端子や、AV信号をコンポーネント信号により出力する出力端子などを有する。
【００３２】
メモリ１６は、再生装置１の記録再生動作において一時的に記憶しておくことが必要なデータを記憶する。
【００３３】
ローカルストレージ１７は、たとえば、HDD(Hard Disk Drive)により構成される。ローカルストレージ１７は、記録再生動作を行うための制御プログラムなどを記憶する。
【００３４】
ネットワークインタフェース１８は、コントローラ１３の制御に従ってネットワーク４を介して図示せぬサーバと通信を行い、サーバからダウンロードしたデータ（制御プログラムなどのデータ）をローカルストレージ１７に供給する。
【００３５】
以上のように構成される再生装置１は、視聴者の再生指示の操作に基づいて、映像記録媒体２に記録された２次元映像コンテンツまたは３次元映像コンテンツを再生し、その結果得られる映像を表示装置３に表示させる。
【００３６】
映像記録媒体２には、２次元映像コンテンツまたは３次元映像コンテンツのいずれか一方のみが記録されている場合もあれば、２次元映像コンテンツと３次元映像コンテンツの両方が記録されている場合もある。
【００３７】
３次元映像コンテンツのみが本編として映像記録媒体２に収録（記録）されている場合であっても、再生装置１に装着された映像記録媒体２を最初に読み出したときに通常表示される再生メニュー画面などは２次元映像である。従って、一般的には、視聴者は、表示装置３に２次元映像コンテンツの映像が表示された後に、３次元映像コンテンツの映像を視聴することになる。
【００３８】
立体視用のメガネを装着して、３次元映像コンテンツの映像を視聴するメガネ方式では、視聴者がメガネを装着する時間、表示装置３から送信されるシャッタの同期信号にメガネが同期をとる時間など、所定の準備期間が必要である。
【００３９】
そこで、再生装置１では、映像記録媒体２に記録されている３次元映像コンテンツの映像を表示装置３に表示させる場合に、視聴者が３次元映像コンテンツの視聴準備ができたことを確認してから、表示装置３に表示させるようになされている。
【００４０】
［再生装置１の機能ブロック図］
図２は、再生装置１が映像記録媒体２に記録されている３次元映像コンテンツの再生を行う場合の機能的構成例を示すブロック図である。
【００４１】
再生装置１は、操作取得部５１、映像記録媒体内容確認部５２、映像再生部５３、３次元テスト映像選択部５４、３次元テスト映像記憶部５５、出力映像選択部５６、および映像出力部５７により構成される。
【００４２】
再生装置１に装着される映像記録媒体２には、そこに収録されたコンテンツの内容や再生順番を記述したプレイリスト４１、２次元映像４２、３次元映像４３、および３次元テスト映像４４が記録されている。
【００４３】
２次元映像４２は、例えば、映画、放送番組、アニメーション等の動画コンテンツ、再生メニュー画面、映画配給元や放送局のロゴマーク画面、各種の設定画面など、視聴者に２次元映像として鑑賞させる１枚以上の映像である。３次元映像４３は、例えば、映画、放送番組、アニメーション等の動画コンテンツ、風景写真など、L映像とR映像により３次元映像として視聴者に鑑賞させる１枚以上の映像である。３次元テスト映像４４は、視聴者が立体視を確認するためのL映像とR映像からなるテスト映像である。なお、３次元テスト映像４４は省略することができ、映像記録媒体２に記録されていない場合もある。
【００４４】
操作取得部５１は、視聴者が行った操作を取得し、その操作に対応する操作信号を映像記録媒体内容確認部５２に供給する。
【００４５】
映像記録媒体内容確認部５２は、映像記録媒体２から読み出したプレイリスト４１または操作信号に基づいて、映像再生部５３、３次元テスト映像選択部５４、出力映像選択部５６を制御する。例えば、映像記録媒体内容確認部５２は、プレイリスト４１または操作信号に基づいて、２次元映像４２から３次元映像４３への映像の切り替わりを検出した場合、３次元映像４３を再生する前に、３次元テスト映像４４を再生するように制御する。なお、図２においては、映像記録媒体内容確認部５２から各部への制御信号を表す点線を見やすくするため１つにまとめて示している。
【００４６】
映像再生部５３は、映像記録媒体内容確認部５２の制御に基づいて、映像記録媒体２に記録されている２次元映像４２または３次元映像４３のいずれか一方を再生し、再生により得られた映像データを出力映像選択部５６に供給する。
【００４７】
３次元テスト映像選択部５４は、映像記録媒体内容確認部５２の制御に基づいて、映像記録媒体２に記録されている３次元テスト映像４４か、または、３次元テスト映像記憶部５５に記憶されている３次元テスト映像５５Ａのいずれか一方を選択する。３次元テスト映像選択部５４は、選択された３次元テスト映像の映像データを読み出し、出力映像選択部５６に供給する。
【００４８】
映像記録媒体２に３次元テスト映像４４が記録されている場合には、３次元テスト映像４４を選択する旨の制御信号が、映像記録媒体内容確認部５２から３次元テスト映像選択部５４に供給される。一方、映像記録媒体２に３次元テスト映像４４が記録されていない場合には、３次元テスト映像記憶部５５に記憶されている３次元テスト映像５５Ａを読み出し、出力映像選択部５６に供給する旨の制御信号が３次元テスト映像選択部５４に供給される。映像記録媒体２に３次元テスト映像４４が記録されているか否かは、映像記録媒体内容確認部５２がプレイリスト４１を確認することで判定することができる。
【００４９】
３次元テスト映像記憶部５５には、映像記録媒体２に３次元テスト映像４４が記録されていない場合のための３次元テスト映像５５Ａが記憶されている。以下では、３次元テスト映像記憶部５５が記憶する３次元テスト映像５５Ａを、映像記録媒体２に記録されている３次元テスト映像４４と区別して、内蔵３次元テスト映像５５Ａと称する。
【００５０】
出力映像選択部５６は、映像記録媒体内容確認部５２の制御に基づいて、映像再生部５３からの映像データか、または、３次元テスト映像選択部５４からの映像データを選択し、映像出力部５７に供給する。即ち、出力映像選択部５６は、映像記録媒体内容確認部５２の制御に基づいて、２次元映像４２若しくは３次元映像４３の本編映像と、３次元テスト映像（３次元テスト映像４４若しくは内蔵３次元テスト映像５５Ａ）を切り替えて、出力する。
【００５１】
映像出力部５７は、出力映像選択部５６から供給される映像データを、表示装置３に対応する所定のフォーマットで出力する。
【００５２】
操作取得部５１は、例えば、図１の操作入力部１４に対応し、映像記録媒体内容確認部５２、３次元テスト映像選択部５４、および出力映像選択部５６は、例えば、図１のコントローラ１３に対応する。また、映像再生部５３は、例えば、図１のディスクドライブ１１およびデコーダ１２等に対応し、３次元テスト映像記憶部５５は、ローカルストレージ１７などに対応する。映像出力部５７は、例えば、図１の出力部１５に対応する。
【００５３】
［状態遷移図］
次に、図３を参照して、映像再生装置１が映像記録媒体２に記録されている２次元映像４２、３次元映像４３、および３次元テスト映像４４を再生するときの再生順について説明する。
【００５４】
図３は、２次元映像４２、３次元映像４３、および３次元テスト映像４４のそれぞれを再生するときの映像再生装置１の状態遷移図を示している。
【００５５】
再生装置１に装着された映像記録媒体２を最初に読み出したときに最初に表示される再生メニュー画面などを含め、２次元映像４２が最初に表示される。従って、視聴者の操作により再生開始が指示された場合、再生装置１の状態は、最初の再生終了（停止）状態６１から、２次元映像４２を再生する２次元映像再生状態６２に遷移する。
【００５６】
２次元映像再生状態６２から、プレイリスト４１の記述または視聴者の操作に従って、３次元映像４３を再生しようとする場合、再生装置１は、すぐに３次元映像再生状態６４に遷移せず、一旦、３次元テスト映像再生状態６３に遷移する。３次元テスト映像再生状態６３では、映像記録媒体２に記録されている３次元テスト映像４４が再生される。なお、３次元テスト映像４４が映像記録媒体２に記録されていない場合には、内蔵３次元テスト映像５５Ａが再生される。
【００５７】
３次元テスト映像再生状態６３中に、視聴者が立体視用のメガネを装着し、メガネのシャッタの同期が完了することで、視聴者が３次元テスト映像を立体的に知覚できた場合、リモートコマンダのOKボタンの押下などの準備完了を示す操作が行われる。
【００５８】
視聴者による準備完了を示す操作に従い、再生装置１は、３次元テスト映像再生状態６３から、３次元映像４３を再生する３次元映像再生状態６４に遷移する。
【００５９】
３次元映像再生状態６４から、プレイリスト４１の記述または視聴者の操作に従って、２次元映像４２を再生しようとする場合には、再生装置１は、即座に２次元映像再生状態６２に遷移する。また、プレイリスト４１の記述または視聴者の操作に従って、３次元映像４３の再生終了後の再生対象がない場合には、再生装置１は、即座に再生終了状態６１に遷移する。
【００６０】
以上のように、再生装置１は、再生対象を、２次元映像４２から３次元映像４３に切り替える場合には、必ず、３次元テスト映像４４を表示させるようにする。３次元テスト映像４４が表示された場合、再生装置１は、視聴者の準備完了を示す操作が行われるまで待機し、その操作が行われた場合に３次元映像４３の再生を開始する。
【００６１】
一方、再生対象が３次元映像４３から２次元映像４２に切り替わる場合には、再生装置１は、即座に、２次元映像４２の再生を開始する。
【００６２】
［３次元テスト映像４４の例］
図４は、３次元テスト映像４４の例を示している。
【００６３】
３次元テスト映像４４は、左眼用の３次元テスト映像４４Lと、右眼用の３次元テスト映像４４Rとからなる。
【００６４】
３次元テスト映像４４Lと３次元テスト映像４４Rそれぞれは、図４に示すように、右眼左眼座標表示領域、視点表示領域、および立体視座標表示領域を有する。
【００６５】
視点表示領域は、立体視させるため右眼と左眼のそれぞれで独立して視認させる映像を表示する領域である。右眼左眼座標表示領域は、視点表示領域に表示される映像の位置を示すための領域である。立体視座標表示領域は、視点表示領域に表示されている右眼用および左眼用それぞれの映像が人の脳内で融像したときの映像の位置を示すための領域である。
【００６６】
即ち、右眼用の３次元テスト映像４４Rの視点表示領域では、右眼左眼座標表示領域において「R」と描かれた六角形の映像と同じ水平位置に、立体視させるためのオブジェクト映像（立体視オブジェクト映像）が描かれている。なお、図４の例では、立体視オブジェクト映像は、「R」と描かれた六角形と同一形状の黒色の図形である。
【００６７】
また、左眼用の３次元テスト映像４４Lの視点表示領域では、右眼左眼座標表示領域において「L」と描かれた六角形の映像と同じ水平位置に、立体視オブジェクト映像が描かれている。
【００６８】
このような３次元テスト映像４４Lと３次元テスト映像４４Rが人の脳内で融像した場合、図４に示される視聴者認識映像４４Xのように立体視オブジェクト映像が認知される。即ち、立体視座標表示領域において「３D」と描かれた六角形の映像と同じ水平位置で奥行方向が手前方向に、立体視オブジェクト映像が認知される。
【００６９】
視聴者は、３次元テスト映像再生状態６３中に、視聴者認識映像４４Xのように３次元テスト映像４４を認知することができた場合、準備完了を示す操作を行い、その操作を受けて、再生装置１は、３次元映像再生状態６４に状態を遷移させる。
【００７０】
なお、３次元テスト映像４４Lと３次元テスト映像４４Rには、「３次元映像を視聴するための準備が完了したら、OKボタンを操作して下さい。」などのメッセージを重畳表示させるようにすることができる。
【００７１】
［再生処理のフローチャート］
次に、図５のフローチャートを参照して、再生装置１が、映像記録媒体２に記録されている２次元映像４２と３次元映像４３を、その順番で再生する場合の再生処理について説明する。
【００７２】
初めに、ステップＳ１において、再生装置１は、映像記録媒体２に記録されているプレイリスト４１を読み出し、映像記録媒体２に記録されている２次元映像４２と３次元映像４３の再生順番を認識する。
【００７３】
ステップＳ２において、再生装置１は、プレイリスト４１に記述された再生順番に従い、映像記録媒体２に記録されている２次元映像４２を再生する。
【００７４】
より詳しくは、映像記録媒体内容確認部５２が、プレイリスト４１に基づいて、映像再生部５３に２次元映像４２の再生を指示する。映像再生部５３は、映像記録媒体２に記録されている２次元映像４２を再生し、その結果得られた映像データを出力映像選択部５６に供給する。出力映像選択部５６は、映像記録媒体内容確認部５２からの本編映像を選択する旨の制御信号に基づき、映像再生部５３から供給される２次元映像４２の映像データを取得して、映像出力部５７に供給する。映像出力部５７は、出力映像選択部５６から供給される２次元映像４２の映像データを必要に応じてD/A変換し、所定のフォーマットで表示装置３に出力する。
【００７５】
ステップＳ３において、再生装置１は、２次元映像４２から３次元映像４３への再生対象の映像の切り替わりを検出したかを判定する。２次元映像４２から３次元映像４３への再生対象の映像の切り替わりは、例えば、プレイリスト４１の再生順番に従い２次元映像４２の再生が終了した場合や、視聴者が２次元映像４２の再生終了および３次元映像４３の再生開始の指示をした場合などにより発生する。
【００７６】
ステップＳ３で、２次元映像４２から３次元映像４３への映像の切り替わりが検出されていない場合、ステップＳ２の処理が繰り返し実行される。即ち、２次元映像４２の再生が継続して実行される。
【００７７】
一方、ステップＳ３で、２次元映像４２から３次元映像４３への映像の切り替わりが検出された場合、処理はステップＳ４に進み、再生装置１は、映像記録媒体２に３次元テスト映像４４が記録されているかを判定する。
【００７８】
ステップＳ４で、映像記録媒体２に３次元テスト映像４４が記録されていると判定された場合、処理はステップＳ５に進み、再生装置１は、映像記録媒体２に記録されている３次元テスト映像４４を読み出し、表示装置３に表示させる。
【００７９】
より詳しくは、映像記録媒体内容確認部５２が映像記録媒体２の３次元テスト映像４４を選択する旨の制御信号を３次元テスト映像選択部５４に供給する。３次元テスト映像選択部５４は、映像記録媒体２から３次元テスト映像４４の映像データを読み出し、出力映像選択部５６に供給する。出力映像選択部５６は、映像記録媒体内容確認部５２からの、３次元テスト映像を選択する旨の制御信号に基づき、３次元テスト映像選択部５４から供給される３次元テスト映像４４の映像データを取得して、映像出力部５７に供給する。映像出力部５７は、出力映像選択部５６から供給される３次元テスト映像４４の映像データを必要に応じてD/A変換し、所定のフォーマットで表示装置３に出力する。
【００８０】
一方、ステップＳ４で、映像記録媒体２に３次元テスト映像４４が記録されていないと判定された場合、処理はステップＳ６に進み、再生装置１は、３次元テスト映像記憶部５５に記録されている内蔵３次元テスト映像５５Ａを読み出し、表示装置３に表示させる。
【００８１】
より詳しくは、映像記録媒体内容確認部５２が３次元テスト映像記憶部５５の内蔵３次元テスト映像５５Ａを選択する旨の制御信号を３次元テスト映像選択部５４に供給する。３次元テスト映像選択部５４は、３次元テスト映像記憶部５５から内蔵３次元テスト映像５５Ａの映像データを読み出し、出力映像選択部５６に供給する。出力映像選択部５６は、映像記録媒体内容確認部５２からの、３次元テスト映像を選択する旨の制御信号に基づき、３次元テスト映像選択部５４から供給される内蔵３次元テスト映像５５Ａの映像データを取得して、映像出力部５７に供給する。映像出力部５７は、出力映像選択部５６から供給される内蔵３次元テスト映像５５Ａの映像データを必要に応じてD/A変換し、所定のフォーマットで表示装置３に出力する。
【００８２】
ステップＳ５またはＳ６の処理後、ステップＳ７において、再生装置１は、３次元映像４３を視聴するための準備が完了したことを示す操作がなされたかを判定し、準備が完了したことを示す操作が視聴者によりなされるまで待機する。
【００８３】
ステップＳ７で、３次元映像４３を視聴するための準備が完了したことを示す操作がなされたと判定された場合、処理はステップＳ８に進み、再生装置１は、３次元映像４３を再生する。
【００８４】
より詳しくは、映像記録媒体内容確認部５２が、プレイリスト４１に基づいて、映像再生部５３に３次元映像４３の再生を指示する。映像再生部５３は、映像記録媒体２に記録されている３次元映像４３を再生し、その結果得られた映像データを出力映像選択部５６に供給する。出力映像選択部５６は、映像記録媒体内容確認部５２からの本編映像を選択する旨の制御信号に基づき、映像再生部５３から供給される３次元映像４３の映像データを取得して、映像出力部５７に供給する。映像出力部５７は、出力映像選択部５６から供給される３次元映像４３の映像データを必要に応じてD/A変換し、所定のフォーマットで表示装置３に出力する。
【００８５】
映像記録媒体２から、映像記録媒体２に記録されている全ての３次元映像４３の再生が終了したとき、再生処理は終了する。
【００８６】
以上のように、再生装置１は、映像記録媒体２に記録されている３次元映像４３の再生を開始する前に、必ず３次元テスト映像を表示させ、視聴者が３次元映像４３を視聴するための準備が完了するまで待機する。そして、視聴者の準備完了の操作が取得されてから、３次元映像４３の再生を開始する。
【００８７】
２次元映像４２の次に３次元映像４３を再生する例としては、例えば、２次元映像４２が再生メニュー画面や映画配給元のロゴマーク画面で、３次元映像４３が３D映画などの動画コンテンツである場合がある。また例えば、２次元映像４２が２D映画で、３次元映像４３も３D映画の動画コンテンツどうしであるということも考えられる。また、２次元映像４２がメインの２D映画の動画コンテンツで、３次元映像４３が、おまけの動画コンテンツとして付属している３D映画などの場合も考えられる。
【００８８】
再生装置１で映像記録媒体２の３次元映像４３を再生する場合には、必ず視聴者の３次元映像の視聴準備が整ってから再生を開始するため、視聴者は、最初から３次元映像を立体視により視聴することができる。
【００８９】
上述した実施の形態では、３次元テスト映像４４は、図４を参照して説明したように静止画としたが、動画とすることもできる。例えば、動画の３次元テスト映像４４としては、立体視オブジェクト映像としての「鉛筆」が奥行方向の前後および水平方向の左右に移動するような動画像とすることができる。
【００９０】
また、上述した実施の形態では、３次元テスト映像４４（または５５Ａ）が表示されたとき、視聴者は３次元映像４３を視聴するための準備が完了したことを表すOKボタンの操作のみが入力可能であった。しかしながら、例えば、立体視用のメガネが同期をうまくとれないなど、３次元テスト映像４４で立体視オブジェクト映像が立体的に認知できない場合も考えられる。そのような場合に、再生装置１は、視聴者にNGボタン等を操作させるようにしてもよい。再生装置１には、視聴者によってNGボタンが操作された場合、例えば、３次元映像４３を構成する複数のL映像とR映像のうち、L映像のみを用いた２次元映像としての表示に変更するなどの処理を行わせることができる。
【００９１】
さらに、上述した実施の形態において、３次元テスト映像４４が表示されたとき、視聴者によるOKボタンの操作がなくても、視聴者の準備に必要な所定時間を待って３次元映像４３の再生を開始させるようにしてもよい。この場合、視聴者のOKボタンの操作が不要となり、操作が簡略化される。
【００９２】
上述した実施の形態では、３次元映像４３の再生が行われる前に、必ず２次元映像４２の再生が行われるものとして説明した。しかしながら、最初から３次元映像４３の再生が行われる場合であっても、その前に３次元テスト映像４４（または５５Ａ）を表示させることは言うまでもない。
【００９３】
本実施の形態では、本発明の再生制御、即ち、３次元映像を再生する場合には必ず３次元テスト映像を表示させるという制御を、再生装置１に適用した例について説明したが、記録機能も有する記録再生装置に適用することも勿論可能である。例えば、図１の再生装置１にチューナおよびエンコーダを設けた記録再生装置において、チューナで受信した２次元映像４２および３次元映像４３がMVC等により符号化され、ローカルストレージ１７に記憶されるとする。この場合、ローカルストレージ１７に記憶されている２次元映像４２および３次元映像４３を順に再生する場合にも、本発明は適用可能である。
【００９４】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００９５】
コンピュータが実行するプログラムは、例えば、パッケージメディア等としてのリムーバブル記録媒体に記録して提供することができる。また、プログラムは、ローカルエリアネットワーク、インターネット、ディジタル衛星放送といった、有線または無線の伝送媒体を介して提供することができる。
【００９６】
なお、本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【００９７】
本発明の実施の形態は、上述した実施の形態に限定されるものではなく、本発明の要旨を逸脱しない範囲において種々の変更が可能である。
【符号の説明】
【００９８】
１  再生装置，  ２  映像記録媒体，  ３  表示装置，  ４１  プレイリスト，  ４２  ２次元映像，  ４３  ３次元映像，  ４４  ３次元テスト映像，  ５１  操作取得部，  ５２  映像記録媒体内容確認部，  ５３  映像再生部，  ５４  ３次元テスト映像選択部，  ５５  ３次元テスト映像記憶部，  ５５Ａ  ３次元テスト映像，  ５６  出力映像選択部，  ５７  映像出力部
【図１】
2011199388.tif 000003
【図２】
2011199388.tif 000004
【図３】
2011199388.tif 000005
【図４】
2011199388.tif 000006
【図５】
2011199388.tif 000007